(57)【特許請求の範囲】
【請求項１】
一台の室外機と複数台の室内機とを備え、前記室内機が設置される各室内の設定温度と、運転中の各室内機が検出する室温情報に応じて、前記室外機の圧縮機の回転数を室内機の運転台数に応じてマイコンからの指示によりインバータ制御するようにしたマルチエアコンにおいて、
前記圧縮機の回転数を、回転数が所定量ずつ変動する予めパターン化した回転数として設定し、
前記圧縮機がマイコンから指示された回転数で制御運転を開始した時を基準として、運転中の各室内機が検出した温度変化が上昇した場合には所定値を加算し、前記温度変化が下降した場合には所定値を減算することにより積算される積算値を、運転中の室内機の運転台数に応じて予めパターン化した数値として設定し、
前記圧縮機がマイコンから指示された回転数で制御運転を開始してから、運転中の室内機が室温の変化を検出した時に、その室温の温度変化による積算値と予めパターン化した数値とを比較して、
前記積算値が正の値であって、予めパターン化した数値よりも大きい場合は、前記圧縮機の回転数を所定量上昇させる予めパターン化した回転数とし、
前記積算値が負の値であって、予めパターン化した数値よりも小さい場合は、前記圧縮機の回転数を所定量下降させる予めパターン化した回転数とするようにしたことを特徴とするマルチエアコンの制御方法。
【請求項２】
前記積算値が正の値の場合には、室内機の運転台数が多くなる程、圧縮機の回転数を所定量上昇させるために必要な積算値を大きくするようにし、前記積算値が負の値の場合には、室内機の運転台数が多くなる程、圧縮機の回転数を所定量下降させるために必要な積算値を小さくするようにしたことを特徴とする請求項１に記載のマルチエアコンの制御方法。
【請求項３】
一台の室外機と複数台の室内機とを備え、前記室内機が設置される各室内の設定温度と、運転中の各室内機が検出する室温情報に応じて、前記室外機の圧縮機の回転数を室内機の運転台数に応じてマイコンからの指示によりインバータ制御するようにしたマルチエアコンにおいて、
前記圧縮機の回転数変動量を、室内機の運転台数に応じて予めパターン化した圧縮機の回転数変動量として設定し、
前記圧縮機がマイコンから指示された回転数で制御運転を開始した時を基準として、運転中の各室内機が検出した温度変化が上昇した場合には所定値を加算し、前記温度変化が下降した場合には所定値を減算することにより算出される積算値を、運転中の室内機の運転台数に応じて予めパターン化した数値として設定し、
前記圧縮機がマイコンから指示された回転数で制御運転を開始してから、運転中の室内機が室温の変化を検出した時に、その室温の温度変化による積算値と予めパターン化した数値とを比較して、
前記積算値が正の値であって、前記積算値が予めパターン化した数値よりも大きい場合は、運転中の室内機の運転台数に応じて予めパターン化した回転数変動量だけ圧縮機の回転数を上昇させ、
前記積算値が負の値であって、前記積算値が予めパターン化した数値よりも小さい場合は、運転中の室内機の運転台数に応じて予めパターン化した回転数変動量だけ圧縮機の回転数を下降させるようにしたことを特徴とするマルチエアコンの制御方法。
【請求項４】
室内機の運転台数が多くなる程、圧縮機の回転数変動量を小さくするようにしたことを特徴とする請求項３に記載のマルチエアコンの制御方法。
【発明の詳細な説明】
【０００１】
【発明の属する技術分野】
本発明は、マルチエアコンに関し、特に、一台の室外機に複数台の室内機を並設して、該室外機の圧縮機の回転数をインバータ制御するようにしたマルチエアコンの制御方法に関するものである。
【０００２】
【従来の技術】
従来、マルチエアコンの制御方法としては、特開平５−２９６５９４号公報に開示されているように、一台の室外機と複数台の室内機とを組み合わせて運転を行うマルチエアコンであって、室外機の圧縮機容量を多段可変として、運転室内機の能力増大要求の有無によって、異なる計数を室内熱交換器の定格容量に乗じた合算値に応じて圧縮機容量を制御しようとする方式が一般に知られている。
【０００３】
【発明が解決しようとする課題】
しかしながら、このようなマルチエアコンの制御方法では、室内機の運転台数が増減する時に各室内機から送られてくる要求能力に応じて演算を行い圧縮機容量を決め直すため、制御回路のマイコンに演算装置が必要となり、マイコンの必要プログラム容量が大きくなるため、大容量のマイコンが必要であり、結果的にコストアップとなるという問題点があった。
また、その都度演算を行ってから圧縮機の回転数を変動するようにしているので、必要以上に圧縮機の回転数が変動し、エアコンの快適性が損なわれるという問題点があった。
【０００４】
本発明は、上記従来の問題点に鑑みてなされたものであり、簡単な構成で、マイコンによる煩雑な演算処理を省き、コストの低減を図るとともに、必要以上に回転数が変動することなく快適な運転動作を可能にしたマルチエアコンの制御方法を提供することを目的とするものである。
【０００５】
【課題を解決するための手段】
本発明は、マルチエアコンの制御方法に係るものであって、一台の室外機と複数台の室内機とを備え、前記室内機が設置される各室内の設定温度と、運転中の各室内機が検出する室温情報に応じて、前記室外機の圧縮機の回転数を室内機の運転台数に応じてマイコンからの指示によりインバータ制御するようにしたマルチエアコンにおいて、前記圧縮機の回転数を、回転数が所定量ずつ変動する予めパターン化した回転数として設定し、前記圧縮機がマイコンから指示された回転数で制御運転を開始した時を基準として、運転中の各室内機が検出した温度変化が上昇した場合には所定値を加算し、前記温度変化が下降した場合には所定値を減算することにより積算される積算値を、運転中の室内機の運転台数に応じて予めパターン化した数値として設定し、前記圧縮機がマイコンから指示された回転数で制御運転を開始してから、運転中の室内機が室温の変化を検出した時に、その室温の温度変化による積算値と予めパターン化した数値とを比較して、前記積算値が正の値であって、予めパターン化した数値よりも大きい場合は、前記圧縮機の回転数を所定量上昇させる予めパターン化した回転数とし、前記積算値が負の値であって、予めパターン化した数値よりも小さい場合は、前記圧縮機の回転数を所定量下降させる予めパターン化した回転数とするようにしたことを特徴とするものである。
【０００６】
また、前記積算値が正の値の場合には、室内機の運転台数が多くなる程、圧縮機の回転数を所定量上昇させるために必要な積算値を大きくするようにし、前記積算値が負の値の場合には、室内機の運転台数が多くなる程、圧縮機の回転数を所定量下降させるために必要な積算値を小さくするようにすることが好ましい。
【０００７】
また、本発明は、マルチエアコンの制御方法に係るものであって、一台の室外機と複数台の室内機とを備え、前記室内機が設置される各室内の設定温度と、運転中の各室内機が検出する室温情報に応じて、前記室外機の圧縮機の回転数を室内機の運転台数に応じてマイコンからの指示によりインバータ制御するようにしたマルチエアコンにおいて、前記圧縮機の回転数変動量を、室内機の運転台数に応じて予めパターン化した圧縮機の回転数変動量として設定し、前記圧縮機がマイコンから指示された回転数で制御運転を開始した時を基準として、運転中の各室内機が検出した温度変化が上昇した場合には所定値を加算し、前記温度変化が下降した場合には所定値を減算することにより算出される積算値を、運転中の室内機の運転台数に応じて予めパターン化した数値として設定し、前記圧縮機がマイコンから指示された回転数で制御運転を開始してから、運転中の室内機が室温の変化を検出した時に、その室温の温度変化による積算値と予めパターン化した数値とを比較して、前記積算値が正の値であって、前記積算値が予めパターン化した数値よりも大きい場合は、運転中の室内機の運転台数に応じて予めパターン化した回転数変動量だけ圧縮機の回転数を上昇させ、前記積算値が負の値であって、前記積算値が予めパターン化した数値よりも小さい場合は、運転中の室内機の運転台数に応じて予めパターン化した回転数変動量だけ圧縮機の回転数を下降させるようにしたことを特徴とするものである。
【０００８】
また、室内機の運転台数が多くなる程、圧縮機の回転数変動量を小さくすることが好ましい。
【０００９】
本発明によれば、以下のような作用が得られる。
すなわち、一台の室外機と複数台の室内機とを備え、前記室内機が設置される各室内の設定温度と、運転中の各室内機が検出する室温情報に応じて、前記室外機の圧縮機の回転数を室内機の運転台数に応じてマイコンからの指示によりインバータ制御するようにしたマルチエアコンにおいて、前記圧縮機の回転数を、回転数が所定量ずつ変動する予めパターン化した回転数として設定し、前記圧縮機がマイコンから指示された回転数で制御運転を開始した時を基準として、運転中の各室内機が検出した温度変化が上昇した場合には所定値を加算し、前記温度変化が下降した場合には所定値を減算することにより積算される積算値を、運転中の室内機の運転台数に応じて予めパターン化した数値として設定し、前記圧縮機がマイコンから指示された回転数で制御運転を開始してから、運転中の室内機が検出する室温の変化を検出した時に、その室温の温度変化による積算値と予めパターン化した数値とを比較して、前記積算値が正の値であって、予めパターン化した数値よりも大きい場合は、前記圧縮機の回転数を所定量上昇させる予めパターン化した回転数とし、前記積算値が負の値であって、予めパターン化した数値よりも小さい場合は、前記圧縮機の回転数を所定量下降させる予めパターン化した回転数とすることで、必要以上に圧縮機の回転数が変動することがないので、エアコンの快適性を保つことができるとともに、圧縮機の回転数の変動に演算を必要としないためマイコンの必要容量が少なくて済み、コストの低減を図ることができる。
【００１０】
また、前記積算値が正の値の場合には、室内機の運転台数が多くなる程、圧縮機の回転数を所定量上昇させるために必要な積算値を大きくするようにし、前記積算値が負の値の場合には、室内機の運転台数が多くなる程、圧縮機の回転数を所定量下降させるために必要な積算値を小さくするようにしたので、必要以上に圧縮機の回転数が変動することがないので、エアコンの快適性を保つことができる。
【００１１】
また、前記圧縮機の回転数変動量を、室内機の運転台数に応じて予めパターン化した圧縮機の回転数変動量として設定し、前記圧縮機がマイコンから指示された回転数で制御運転を開始した時を基準として、運転中の各室内機が検出した温度変化が上昇した場合には所定値を加算し、前記温度変化が下降した場合には所定値を減算することにより算出される積算値を、運転中の室内機の運転台数に応じて予めパターン化した数値として設定し、前記圧縮機がマイコンから指示された回転数で制御運転を開始してから、運転中の室内機が室温の変化を検出した時に、その室温の温度変化による積算値と予めパターン化した数値とを比較して、前記積算値が正の値であって、前記積算値が予めパターン化した数値よりも大きい場合は、運転中の室内機の運転台数に応じて予めパターン化した回転数変動量だけ圧縮機の回転数を上昇させ、前記積算値が負の値であって、前記積算値が予めパターン化した数値よりも小さい場合は、運転中の室内機の運転台数に応じて予めパターン化した回転数変動量だけ圧縮機の回転数を下降するようにしたので、必要以上に圧縮機の回転数が変動することがないので、エアコンの快適性を保つことができるとともに、圧縮機の回転数の変動に演算を必要としないためマイコンの必要容量が少なくて済み、コストの低減を図ることができる。
【００１２】
また、運転中の室内機の台数が多くなる程、圧縮機の回転数変動量を小さくしたので、必要以上に圧縮機の回転数が変動することがないので、エアコンの快適性を保つことができる。
【００１３】
【発明の実施の形態】
以下、本発明の実施形態について図面を参照して詳細に説明する。
図１は本発明の実施形態に係るマルチエアコンの冷凍サイクルを示す説明図である。
マルチエアコン１は、図１に示すように、１台の室外機２に対し４台の室内機３−１、３−２、３−２、３−４が接続され、運転／制御される構造となっている。
【００１４】
前記室外機２には、インバータ制御により運転周波数を変えることができる圧縮機４と室外熱交換機５とが設けられている。前記室外熱交換機５に隣接して、該室外熱交換機５に送風するための室外ファン６と、該室外ファン６を駆動するための室外ファンモータ８が設けられている。
【００１５】
前記室外機２と室内機３−１、３−２、３−２、３−４とは、冷媒の循環を行う冷媒配管通路９により連通されている。前記冷媒配管通路９には、前記室外熱交換機５の上流側および下流側に、冷媒の流出入の開閉を行うストップバルブ１１、１２が設けられている。前記媒配管通路９のストップバルブ１１の下流側には、室外機２から各々室内機３−１、３−２、３−３、３−４への循環冷媒の流量を制御する膨張弁１４が設けられている。図中の符号１５は、圧縮機４のアキュムレータである。
【００１６】
前記室内機３−１、３−２、３−３、３−４には、室内熱交換機１７が設けられている。前記室内熱交換機１７に隣接して該室内熱交換機１７に送風するための室内ファン１８と、該室内ファン１８を駆動するための室内ファンモータ１９が各々設けられている。また、前記室内熱交換機１７に近接して室温感知用サーミスタ２０が設けられている。
【００１７】
前記圧縮機４は、室外機２内の制御回路に設けられたマイコン（図示省略）からの指示により回転数を変更できるインバータ機能を有しており、室外機２に接続された４台の室内機３−１、３−２、３−３、３−４に対して各室内の設定温度と室温感知用サーミスタ２０による室温情報に応じて、圧縮機４の回転数変化と膨張弁１４の開度調整により各室内機３−１、３−２、３−３、３−４に必要な冷媒循環量を決定し、各室内の温度制御を行っている。
【００１８】
次に、本実施形態に係るマルチエアコン１による制御運転について説明する。
図２は、マルチエアコン１による制御の一例を示すフローチャートである。図中の符号Ｓはステップを表す。
表１は、本実施形態に係る運転周波数コードアップ時の室内機運転台数Ｄと規定値Ｘの関係を示すテーブル１である。
【００１９】
【表１】
0004007800.tif 000002
【００２０】
表２は、本実施形態に係る運転周波数コードダウン時の室内機運転台数Ｄと規定値Ｘの関係を示すテーブル２である。
【００２１】
【表２】
0004007800.tif 000003
【００２２】
前記テーブル１およびテーブル２は、室内機の運転台数が多ければ運転周波数コードアップに必要なＸが大きくなるように設定されている。
【００２３】
表３は、本実施形態に係る運転周波数コードと運転周波数との関係を示すテーブル３である。前記運転周波数は運転周波数コードにより予め決められている。
【００２４】
【表３】
0004007800.tif 000004
【００２５】
本実施形態に係るマルチエアコンの制御は、図２に示すように、
まず、Ｓ１で室内機３−１、３−２、３−３、３−４に設けられた各々の室温感知用サーミスタ２０により温度が検知される。
Ｓ２で前記室温感知用サーミスタ２０により室内の温度変化を感知した時、Ｓ３で室外機２内の制御回路に設けられたマイコン（図示省略）により温度変化は上昇か下降かが判断される。
【００２６】
Ｓ３で室温上昇と判断された場合は、Ｓ４において積算値Ｎを１増加し、温度下降と判断された場合は、Ｓ５において積算値Ｎを１減少する。
Ｓ６で室内機の運転台数Ｄが確認されて、Ｓ７で積算値Ｎが積算される。
【００２７】
Ｓ７における積算値Ｎがプラスであれば、Ｓ８でテーブル１に対応してテーブル上の規定値Ｘと積算値Ｎとが比較される。
【００２８】
Ｓ８において積算値Ｎがテーブル１の規定値Ｘよりも大きい場合はＳ９に進み、テーブル３に対応して運転周波数コードが１ランクアップして、圧縮機の運転周波数が高く設定される。
そして、Ｓ１０で積算値Ｎと規定値Ｘとにより積算値Ｎ2が演算され、再びＳ２に戻って温度変化に対応した運転制御が繰り替えされる。
【００２９】
また、Ｓ８において積算値Ｎが規定値Ｘより小さい場合はＳ１１に進み、再びＳ２に戻って温度変化に対応した運転制御が繰り替えされる。
【００３０】
一方、Ｓ７における積算値Ｎがマイナスであれば、Ｓ１２でテーブル２に対応してテーブル上の規定値Ｘと積算値Ｎとが比較される。
【００３１】
Ｓ１２において積算値Ｎがテーブル２の規定値Ｘよりも小さい場合はＳ１３に進み、テーブル３に対応して運転周波数コードが１ランクダウンして、圧縮機の運転周波数が低く設定される。
そして、Ｓ１４で積算値Ｎと規定値Ｘとにより積算値Ｎ2が演算され、再びＳ２に戻って温度変化に対応した運転制御が繰り替えされる。
【００３２】
また、Ｓ１２において積算値Ｎが規定値Ｘより大きい場合はＳ１５に進み、そのまま再びＳ２に戻って温度変化に対応した運転制御が繰り替えされる。
【００３３】
ここで、マルチエアコンの制御運転を具体的に説明する。
例えば、室内機の運転台数が３台で運転周波数コード５（６０Ｈｚ）で運転している状態で、室温が上昇して（Ｓ３）、室内機からの温度変化の積算値Ｎが７になった時点で（Ｓ７〜Ｓ８）運転周波数コードは１ランクアップして６となり（Ｓ９）、圧縮機はテーブル３により６４Ｈｚで運転することになる。
【００３４】
次に、本実施形態に係るマルチエアコン１による制御運転のその他の例について、図面を参照して説明する。
図３は、前記マルチエアコン１による制御のその他の例を示すフローチャートである。
表４は、本実施形態に係る室内機の運転台数Ｄと運転周波数変化量Ｚとの関係を示すテーブル４である。
【００３５】
【表４】
0004007800.tif 000005
【００３６】
テーブル４では、運転周波数のアップダウン幅は室内機の運転台数Ｄにより予めパターン化されており、室内機の運転台数Ｄとの関係Ｘとを比較して運転周波数の変動幅が少なくなるように設定されている。
【００３７】
本実施形態に係るマルチエアコンの制御は、図３に示すように、
まず、Ｓ１で室内機３−１、３−２、３−３、３−４に設けられた各々の室温感知用サーミスタ２０により温度が検知される。
Ｓ２で前記室温感知用サーミスタ２０により室内の温度変化を感知した時、Ｓ３で室外機２内の制御回路に設けられたマイコン（図示省略）により温度変化は上昇か下降かが判断される。
【００３８】
Ｓ３で室温上昇と判断された場合は、Ｓ４において積算値Ｎを１増加し、温度下降と判断された場合は、Ｓ５において積算値Ｎを１減少する。
Ｓ６で室内機の運転台数Ｄが確認されて、Ｓ７で積算値Ｎが積算される。
【００３９】
Ｓ７における積算値Ｎがプラスであれば、Ｓ８でテーブル１に対応してテーブル上の規定値Ｘと積算値Ｎとが比較される。
【００４０】
Ｓ８において積算値Ｎがテーブル１の規定値Ｘよりも大きい場合はＳ９に進み、テーブル４に対応して運転周波数がアップされる。この運転周波数のアップダウン幅は室内機の運転台数Ｄにより予めパターン化されており、室内機の運転台数Ｄとの関係による規定値Ｘとを比較し、テーブル４により運転周波数の変動幅が少なくなるように設定されている。
そして、Ｓ１０で積算値Ｎと規定値Ｘとにより積算値Ｎ2が演算され、再びＳ２に戻って温度変化に対応した運転制御が繰り替えされる。
【００４１】
また、Ｓ８において積算値Ｎが規定値Ｘより小さい場合はＳ１１に進み、再びＳ２に戻って温度変化に対応した運転制御が繰り替えされる。
【００４２】
一方、Ｓ７における積算値Ｎがマイナスであれば、Ｓ１２でテーブル２に対応してテーブル上の規定値Ｘと積算値Ｎとが比較される。
【００４３】
Ｓ１２において積算値Ｎがテーブル２の規定値Ｘよりも小さい場合はＳ１３に進み、テーブル４に対応して運転周波数がダウンして、圧縮機の運転周波数が低く設定される。この運転周波数のアップダウン幅は室内機の運転台数Ｄにより予めパターン化されており、室内機の運転台数Ｄとの関係による規定値Ｘとを比較し、テーブル４により運転周波数の変動幅が少なくなるように設定されている。
そして、Ｓ１４で積算値Ｎと規定値Ｘとにより積算値Ｎ2が演算され、再びＳ２に戻って温度変化に対応した運転制御が繰り替えされる。
【００４４】
また、Ｓ１２において積算値Ｎが規定値Ｘより大きい場合はＳ１５に進み、そのまま再びＳ２に戻って温度変化に対応した運転制御が繰り替えされる。
【００４５】
ここで、マルチエアコンの制御運転を具体的に説明する。
例えば、室内機の運転台数が３台であって、運転周波数６０Ｈｚで運転している状態で、室温が上昇して（Ｓ３）、室内機からの温度変化の積算値Ｎが７になった時点で（Ｓ７〜Ｓ８）運転周波数はテーブル４から１１アップとなり（Ｓ９）、圧縮機はテーブル４により７１Ｈｚで運転することになる。
【００４６】
以上のように構成したので、本実施形態のマルチエアコンの制御方法によれば、各々の室内機３−１、３−２、３−３、３−４の温度変化を検知する室温感知用サーミスタ２０を配置し、室内機の運転台数とその温度変化に対応してパターン化したテーブル１〜３を予め設定し、このテーブルの数値パターンを室内機の運転台数が大きくなるほど、圧縮機の回転数を１ランク変動させるのに必要な積算値を大きくしたので、温度変化に対応して圧縮機の運転周波数を必要以上に変動することなく、快適性を保つことができる。
【００４７】
また、本実施形態は、予めパターン化したテーブル１〜３を用いて制御するようにしたので、マイコンでの演算を必要せず、したがって、マイコンの必要容量を少なくできるのでコストの低減を図ることができる。
【００４８】
また、その他の例では、圧縮機の運転周波数のアップダウン幅を室内機の運転台数Ｄに応じて予めパターン化し、室内機の運転台数Ｄとの関係による規定値Ｘとを比較して運転周波数の変動幅が少なくなるようにテーブル４を設定したので、温度変化に対応して圧縮機の運転周波数を必要以上に変動することなく、快適性を保つことができる。
【００４９】
尚、本発明のマルチエアコンの制御方法は、上述の図示例にのみ限定されるものではなく、本発明の要旨を逸脱しない範囲内において種々変更を加え得ることは勿論である。
【００５０】
【発明の効果】
以上、説明したように本発明の請求項１〜４に記載のマルチエアコンの制御方法によれば、簡単な構成で、マイコンによる煩雑な演算処理を省き、コストの低減を図るとともに、必要以上に回転数が変動することなく快適な運転動作を可能にしたマルチエアコンの制御方法を実現できる。
すなわち、運転中の室内機の検出する室温が変動した時に、運転中の各室内機が検出する室温の上昇／下降を積算し、その積算値が、室内機の運転台数に応じて予めパターン化した数値になった時に、圧縮機の回転数を所定量変動させ、室内機の運転台数が多くなる程、圧縮機の回転数を所定量変動させるのに必要な積算値を大きくするようにしたので、必要以上にたびたび圧縮機の回転数が変動することなく快適性が保たれるとともに、温度変化に応じた圧縮機の回転周波数の制御にマイコンの演算を必要としないのでマイコンの必要容量が少なくて済み、これによりコストの低減を図ることができるという優れた効果を奏する。
【００５１】
また、運転中の室内機の検出する室温が変動した時に、室内機の運転台数に応じて予めパターン化した分量だけ圧縮機の回転数を変動させるようにして、室内機の運転台数が多くなる程、圧縮機の回転数変動量を小さくするようにしたので、必要以上にたびたび圧縮機の回転数が変動することなく快適性が保たれるとともに、温度変化に応じた圧縮機の回転周波数の制御にマイコンの演算を必要としないのでマイコンの必要容量が少なくて済み、これによりコストの低減を図ることができるという優れた効果を奏する。
【図面の簡単な説明】
【図１】本発明の実施形態に係るマルチエアコンの冷凍サイクルの説明図である。
【図２】本実施形態に係るマイコンによる制御の一例を示すフローチャートである。
【図３】本実施形態に係るマイコンによる制御の変形例を示すフローチャートである。
【符号の説明】
１  マルチエアコン
２  室外機
３  室内機
４  圧縮機
５  室外熱交換機
６  室外ファン
８  室外ファンモータ
９  冷媒配管通路
１１  ストップバルブ
１４  膨張弁
１７  室内熱交換機
１８  室内ファン
１９  室内ファンモータ
２０  室温感知用サーミスタ
【図１】
0004007800.tif 000006
【図２】
0004007800.tif 000007
【図３】
0004007800.tif 000008